(57)【要約】【課題】大電流に対応可能な低背のコイル部品を提供する。【解決手段】コア２とコイル３とを備えたコイル部品１であって、互いに直交する三方向を上下、左右、前後方向として、コイルは、上下方向を巻軸とするとともに、上下方向を法線とした面を有する基板３０に形成された導体パターン（３１、３２）によって形成されてなり、コアは、二つのコア部材（２ａ、２ｂ）が上下方向に対向配置されてなる、ＵＵ型あるいはＵＩ型で、前後方向から見て、矩形状の閉磁路を形成し、閉磁路の内方に対応して二つのコア部材間に形成される空隙の上下方向の幅Ｌを磁気ギャップの幅とし、上下方向から見て、コアの平面領域と、コイルを構成する導体パターンの内周側の平面領域との重複領域（２３ａ、２３ｂ）の面積によってコイルのインダクタンスが調整されている。【選択図】図１
2020047645.tif 000002
【特許請求の範囲】
【請求項１】
コアとコイルとを備えたコイル部品であって、
互いに直交する三方向を上下、左右、前後方向として、
前記コイルは、上下方向を巻軸とするとともに、上下方向を法線とした面を有する基板に形成された導体パターンによって形成されてなり、
前記コアは、二つのコア部材が上下方向に対向配置されてなる、ＵＵ型あるいはＵＩ型で、前後方向から見て、矩形状の閉磁路を形成し、
前記閉磁路の内方に対応して二つの前記コア部材間に形成される空隙の上下方向の幅を磁気ギャップの幅とし、
上下方向から見て、前記コアの平面領域と、前記コイルを構成する前記導体パターンの内周側の平面領域との重複領域の面積によって前記コイルのインダクタンスが調整されてなる、
ことを特徴とするコイル部品。
【請求項２】
請求項１に記載のコイル部品であって、前記重複領域の面積が、上方から見たときの前記コアの外脚の合計面積よりも小さいことを特徴とするコイル部品。
【請求項３】
請求項１又は２に記載のコイル部品であって、前記コイルは、前記基板の表裏一方の面に一次コイルが形成され、表裏他方の面に二次コイルが形成されて、トランスとして動作することを特徴とするコイル部品。
【請求項４】
請求項３に記載のコイル部品であって、
前記基板の前記表裏他方の面に渦巻き状に形成された導体パターンによって前記一次コイルが形成され、
前記基板の前記表裏一方の面にＵ字型に形成された導体パターンによって前記二次コイルが形成され、
前記基板の前記表裏一方の面には、前記一次コイルを形成する渦巻き状の導体パターンの内周側の端部とビアを介して接続される導体パターンが形成されている、
ことを特徴とするコイル部品。
【発明の詳細な説明】
【技術分野】
【０００１】
本発明はコイル部品に関する。
【背景技術】
【０００２】
トランスやインダクターなどのコイル部品は、コアによって形成された閉磁路内にコイルが配置されてなる。そして、大電流を扱うコイル部品におけるコアは、一般的に、ＥＥ型あるいはＥＩ型など中脚を備えたものが用いられ、コイルの巻線は、その中脚の周囲に巻回される。なお、コイルの巻軸を上下方向とすると、ＥＥ型のコアおよびＥＩ型のコアは、二つのコア部材が上下方向で互いに対向配置されることで構成される。そして、二つのコア部材は、閉磁路を形成しつつ、磁芯の磁気飽和を抑制したり、直流重畳特性を調整したりするために、中脚に磁気ギャップが設けられた状態で配置される。
【０００３】
ＥＥ型コアあるいはＥＩ型コアの中脚に磁気ギャップを設けるためには、普通、Ｅ型コア部材の中脚を外脚よりも短くする。例えば、上下方向で二つのＥ型コア部材を互いに対向させてなるＥＥ型コアでは、上下二つのＥ型コア部材のそれぞれの中脚、あるいは上下一方のＥ型コアの中脚を外脚よりも短くしておく。それによって、二つのＥ型コア部材の中脚の端面間に磁気ギャップが形成される。また、ＥＩ型コアで、例えば、Ｉ型コアの上方にＥ型コア部材が配置される場合では、Ｅ型コア部材の中脚を外脚よりも短くし、Ｉ型コア部材の上面にＥ型コア部材を載置することで、Ｉ型コアの上面とＥ型コアの中脚の端面との間に磁気ギャップが形成される。もちろん、中脚を外脚よりも短くせず、外脚の端面にシート状の部材を配置させることでも磁気ギャップを形成することはできるが、漏れ磁束の影響を考えれば、上下のＥ型コア部材の外脚同士、あるいは上下一方のＥ型コア部材の外脚と上下他方のＩ型コアとは接触している方がよい。なお、以下の非特許文献１や２には、コアの磁気ギャップとコイル部品の特性との関係について記載されている。
【先行技術文献】
【非特許文献】
【０００４】
【非特許文献１】サガミエレク株式会社、”コイルを使う人のための話 第一部”、[online]、[平成３０年８月２７日検索]、インターネット＜ＵＲＬ：https://www.sagami-elec.co.jp/file/tech/coil_doc_100j.pdf＞
【非特許文献２】ＴＤＫ株式会社、” 第9回  スイッチング電源のエネルギー伝達を支える電子部品”、[online]、[平成３０年８月２７日検索]、インターネット＜ＵＲＬ：https://www.tdk.co.jp/techmag/power/200902/index.htm＞
【発明の概要】
【発明が解決しようとする課題】
【０００５】
コイル部品を含めた電子部品には、小型薄型化が求められている。特に、液晶ディスプレイなどの薄形表示装置に組み込まれる電子部品には、薄形、すなわち低背化が強く求められている。そして、上述したコイル部品が、電源回路などに組み込まれる場合、コイル部品は、大電流への対応と低背化とを両立させる必要がある。
【０００６】
しかし、コイル部品の低背化を進めて行くと、磁芯となるコアの脚部が短くなる。そのため、磁気ギャップの幅（以下、ギャップ長とも言う）を調整することで大電流用途に適した特性を得ることが難しくなる。すなわち、ギャップ長の設定範囲が限られてしまい、大電流に対応させるために必要なギャップ長を設けることが困難となる。なお、インダクタンスを小さくすることでコイル部品を大電流に対応させることもできるが、そのためには、コアの中脚を細くする必要がある。しかし、中脚を細くして中脚の断面積が小さくなると、中脚に磁束が集中し、磁芯となる中脚が磁気飽和する。したがって、中脚を細くする場合でも電流に対応させることが難しくなる。確かに、コイルの巻き数を調整することでもインダクタンスを調整することができるが、ＤＣ−ＤＣコンバーターなどに組み込まれるコイル部品では、銅板などからなる一巻きコイルを用いることがあり、コイルの巻き数が少ないコイル部品では、コイルの巻き数を調整することでインダクタンスを小さくすることが難しい。
【０００７】
そこで、本発明は、大電流に対応可能な低背のコイル部品を提供することを目的としている。
【課題を解決するための手段】
【０００８】
上記目的を達成するための本発明の一態様は、コアとコイルとを備えたコイル部品であって、
互いに直交する三方向を上下、左右、前後方向として、
前記コイルは、上下方向を巻軸とするとともに、上下方向を法線とした面を有する基板に形成された導体パターンによって形成されてなり、
前記コアは、二つのコア部材が上下方向に対向配置されてなる、ＵＵ型あるいはＵＩ型で、前後方向から見て、矩形状の閉磁路を形成し、
前記閉磁路の内方に対応して二つの前記コア部材間に形成される空隙の上下方向の幅を磁気ギャップの幅とし、
上下方向から見て、前記コアの平面領域と、前記コイルを構成する前記導体パターンの内周側の平面領域との重複領域の面積によって前記コイルのインダクタンスが調整されてなる、
ことを特徴とするコイル部品である。
【０００９】
前記重複領域の面積が、上方から見たときの前記コアの外脚の合計面積よりも小さいコイル部品としてもよい。
【００１０】
前記基板の表裏一方の面に一次コイルが形成され、表裏他方の面に二次コイルが形成されて、トランスとして動作するコイル部品とすることもできる。
【００１１】
トランスとして動作するコイル部品は、
前記基板の前記表裏他方の面に渦巻き状に形成された導体パターンによって前記一次コイルが形成され、
前記基板の前記表裏一方の面にＵ字型に形成された導体パターンによって前記二次コイルが形成され、
前記基板の前記表裏一方の面には、前記一次コイルを形成する渦巻き状の導体パターンの内周側の端部とビアを介して接続される導体パターンが形成されているコイル部品であってもよい。
【発明の効果】
【００１２】
本発明によれば、大電流にも対応可能な低背のコイル部品が提供される。なお、その他の効果については以下の記載で明らかにする。
【図面の簡単な説明】
【００１３】
【図１】本発明の実施例に係るコイル部品の外観を示す斜視図である。
【図２】上記実施例に係るコイル部品の分解斜視図である。
【図３】上記実施例に係るコイル部品の各部位のサイズを示す図である。
【図４】上記実施例に係るコイル部品におけるインダクタンスの設定方法を説明するための図である。
【図５】本発明のその他の実施例に係るコイル部品を示す図である。
【発明を実施するための形態】
【００１４】
本発明の実施例について、以下に添付図面を参照しつつ説明する。なお、以下の説明に用いた図面において、同一または類似の部分に同一の符号を付して重複する説明を省略することがある。図面によっては説明に際して不要な符号を省略することもある。
【００１５】
＝＝＝実施例＝＝＝
本発明の実施例として一次コイルと二次コイルとを有するトランスとして機能するコイル部品をあげる。図１に、本発明の実施例に係るコイル部品１の外観を示した。また、図２に、コイル部品１の分解斜視図を示した。図１に示したように、実施例に係るコイル部品１は、コア２によって囲繞された扁平矩形状の閉磁路内に平板状のコイル３が配置されてなる。
【００１６】
コイル３の巻軸１００方向を上下方向とすると、コア２は、図２に示したように、Ｕ型コア部材２ａとＩ型コア部材２ｂを上下方向で対向させてなるＵＩ型である。ここで、Ｕ型コア部材２ａがＩ型コア部材２ｂの上方に配置されていることとして、上下の各方向を規定するとともに、Ｕ型コア部材２ａの外脚２２が、上下に扁平な平板状の底板部２１の左右両端側の下面から下方に突出して形成されていることとして左右方向を規定する。また、上下方向と左右方向とに直交する方向を前後方向とすると、コア２は前後方向から見たときに上下に扁平な矩形状の閉磁路を形成している。
【００１７】
コイル３は、基板３０の表面に印刷された導体パターン（３１、３２）によって形成されてなるシート状のコイルであり、図２では、便宜的に、導体パターン（３１、３２）の形状が理解し易いように、基板３０と、基板３０上に形成されている導体パターン（３１、３２）とを個別に示した。また、図１、図２では、コイル３の上下方向の厚さが誇張されている。そして、図２に示したように、一枚の基板３０の表裏一方の面には、幅広のＵ字状の導体パターン３２からなる一巻き分のコイルが形成され、表裏他方の面には、渦巻き状の導体パターン３１からなる四巻き分のコイルが形成されている。本実施例では、基板３０の上面に、Ｕ字型の導体パターン３２からなるトランスの二次コイル（以下、二次コイル３２とも言う）が形成され、基板３０の下面に渦巻き状の導体パターン３１からなるトランスの一次コイル（以下、一次コイル３１とも言う）が形成されている。また、基板３０の上面には、二次コイル３２を構成するＵ字状の導体パターンとは別に、基板３０の左右中央位置に、前後一方の縁辺には、前後方向に延長する直線状の導体パターン３３が形成されている。上下方向から見ると、直線状の導体パターン３３は、基板３０の前後一方の縁辺から、渦巻き状の一次コイル３１の内周側の端部３１ａの形成位置まで延長し、この一次コイル３１の端部３１ａと直線状の導体パターン３３とは、基板３０の上面と下面とを連絡するビア３４を介して接続されている。したがって、基板３０の上面におけるＵ字状の二次コイル３２の二つの端部（３２ａ、３２ｂ）、上記直線状の導体パターン３３、および基板３０の下面における渦巻き状の一次コイル３１の外周側の端部３１ｂが、外部の電子回路に接続される端子となる。
【００１８】
図３に、コイル部品１の各部位のサイズを示した。図３（Ａ）は、コイル部品１を上下方向から見たときのコア２の各部位のサイズを示している。図３（Ｂ）は、コイル部品１を前後方向から見たときのコア２の各部位のサイズを示しており、図３（Ａ）におけるａ−ａ矢視断面に対応している。図３（Ａ）に示したように、コア２は、上下方向から見ると、左右方向の幅Ｗ１、前後方向の奥行きＤの矩形の平面形状を有し、コイル３は、コア２に対し、前後と左右とに対称となるように配置されている。また、図３（Ｂ）に示したように、コア２を構成するＵ型コア部材２ａは、高さＨ１で、高さＨ２の平板状の底板部２１の下面に、二つの外脚２２が、距離Ｗ１を隔てて左右対称に形成されてなる。したがって、一つの外脚２２のサイズは、幅（Ｗ１―Ｗ２）/２、奥行きＤ、高さＨ１−Ｈ２となる。Ｉ型コア部材２ｂは、全高Ｈ３で、幅Ｗ１、奥行きＤ、高さＨ３の外形サイズを有する平板状である。また、コア２の全体の外形サイズは、幅Ｗ１、奥行きＤ、高さＨ１＋Ｈ３である。
【００１９】
以下の表１に、コア２の各部位の実寸を示した。
【００２０】
【表１】
2020047645.tif 000003
【００２１】
表１に示したように、コア２は、高さＨ１＝７ｍｍで、極めて薄い。また、Ｕ型コア部材２ａの底板部２１の高さＨ２とＩ型コアの高さＨ３とは、ともに４ｍｍであり、コア２は上下対称に形成されている。コイル３は、幅（Ｗ１―Ｗ２）＝８ｍｍ、奥行きＤ＝２０ｍｍ、高さＨ１−Ｈ２＝３ｍｍの上下方向に狭小な空間に上下対称となるように配置されている。そして、実施例に係るコイル部品１では、コア２に中脚がないため、二つのコア部材（２ａ、２ｂ）が上下方向で対面する狭小な空間の高さがギャップ長Ｌ（Ｈ１−Ｈ２＝３ｍｍ）となる。すなわち、実施例に係るコイル部品１では、シート状のコイル３と中脚のないコア２とによって、低背化を達成しながらギャップ長Ｌが極めて短い磁気ギャップを設けることが可能となっている。また、本実施例のコイル部品１では、中脚がないコア２により、コイル（３１、３２）の巻き数が少なくてもインダクタンスを柔軟に設定できるようになっている。
【００２２】
図４に、本実施例のコイル部品１におけるインダクタンスの設定方法を示した。図４は、コイル部品１を上下方向から見たときの、コイル（３１、３２）の導体パターンとコア２との位置やサイズの関係を示す図である。図４（Ａ）は、一次コイル３１の導体パターンとコア２との位置やサイズの関係を示しており、図４（Ｂ）は、二次コイル３２の導体パターンとコア２との位置やサイズの関係を示している。
【００２３】
図４（Ａ）に、網点のハッチングで示したように、上下方向から見たときに、渦巻き状の一次コイル３１の内周側の領域とコア２とが重複する領域２３ａが、一次コイル３１に対する仮想的な中脚の形成領域（以下、仮想的な中脚２３ａとも言う）となる。また、図４（Ｂ）に、網点のハッチングで示したように、上下方向から見たときに、Ｕ字状の二次コイル３２の内周側の領域とコア２とが重複する領域が、二次コイル３２に対する仮想的な中脚２３ｂとなる。なお、実施例に係るコイル部品１では、一次コイル３１の仮想的な中脚２３ａと二次コイル３２の仮想的な中脚２３ｂとは、同じ位置に同じ平面形状となるように形成されている。そして、ＥＥ型コアやＥＩ型コアなど、中脚を備えたコイル部品では、上下方向から見たときの二つの外脚２２の面積の合計Ｄ×（Ｗ１−Ｗ２）よりも、中脚（２３ａ、２３ｂ）の面積ｘ×Ｄを小さくすると、磁芯となる中脚（２３ａ、２３ｂ）が磁気飽和し、コイル３に大電流を流すことが難しくなる。しかし、実施例に係るコイル部品１では、仮想的な中脚（２３ａ、２３ｂ）にコイル（３１、３２）を巻回する構造であるため、コイル３に大電流を流しても磁芯が磁気飽和し難い。また、コイル３の巻き数が少なくても、インダクタンスを自由に設定することができる。
【００２４】
＝＝＝磁気特性＝＝＝
本発明の実施例に係るコイル部品１の磁気特性を評価するために、図３に示したコイル部品１において、仮想的な中脚（２３ａ、２３ｂ）の左右幅ｘが異なる各種コイル部品１をサンプルとして作製した。なお、各サンプルのコア２の各部位は、表１に示したサイズを有している。そして、各サンプルの一次コイル３１と二次コイル３２のインダクタンスを測定した。
【００２５】
表２に各サンプルの磁気特性を示した。
【００２６】
【表２】
2020047645.tif 000004
【００２７】
表２において、一次コイル３１および二次コイル３２における内周側の左右幅ｘを変えることは、仮想的な中脚（２３ａ、２３ｂ）の断面積を変えることであり、表２に示したように、仮想的な中脚（２３ａ、２３ｂ）の断面積を変えることで、一次コイル３１のインダクタンスＬｐと二次コイル３２のインダクタンスＬｓとを調整することができる。そして、ｘ＝２ｍｍ、４ｍｍ、または６ｍｍとした場合では、仮想的な中脚（２３ａ、２３ｂ）の断面積が、コア２の二つの外脚２２の断面積の合計よりも小さくなるものの、磁芯が磁気飽和することなく、一次コイル３１および二次コイル３２のインダクタンスが調整されていることが確認できた。
【００２８】
このように、従来のコイル部品では、インダクタンスを小さくするには、中脚にギャップ長が大きな磁気ギャップを設ける必要があり、低背化が難しかったが、実施例に係るコイル部品１では、シート状のコイルを備えて、低背化が達成され、かつコイル（３１、３２）の導体パターンによって形成される仮想的な中脚（２３ａ、２３ｂ）の面積を変更するだけで、インダクタンスを柔軟に調整することができる。また、基板３０の表面に導体パターンが形成されてなるシート状のコイル３を備えた実施例に係るコイル部品１では、巻線を巻回するためのボビンが不要であり、導体パターンを変更するだけで、一次コイル３１と二次コイル３２の巻き数比やインダクタンスなどの仕様変更などにも容易、かつ安価に対応することができる。
【００２９】
＝＝その他の実施例＝＝＝
実施例に係るコイル部品１では、上下方向から見たときに、コア２とコイル３の内周側の領域との重複領域を仮想的な中脚（２３ａ、２３ｂ）の断面として、その仮想的な中脚（２３ａ、２３ｂ）の断面積に応じてインダクタンスを調整することができる。したがって、仮想的な中脚（２３ａ、２３ｂ）の断面形状は、上記実施例における幅ｘ、奥行きＤの矩形状でなくてもよい。
【００３０】
図５に、仮想的な中脚２３の形状が異なるコイル部品（１０１，２０１）を示した。例えば、図５（Ａ）に示したコイル部品１０１のように、網点のハッチングで示した仮想的な中脚２３が、幅ｘ、奥行きＤ１＜Ｄの矩形状であってもよいし、図５（Ｂ）に示したコイル部品２０１のように、網点のハッチングで示した仮想的な中脚２３が、ＥＥＲ型のコアと同様の直径φ≦Ｄの円形であってもよい。そして、実施例に係るコイル部品では、図５（Ａ）、図５（Ｂ）において、網点のハッチングで示した仮想的な中脚２３の断面積を、網掛けのハッチングで示した外脚２２の断面積よりも小さくしても、磁性体で構成される物理的な中脚がないため、磁芯が磁気飽和することがない。
【００３１】
実施例に係るコイル部品１のコア２はＵＩ型であったが、ＵＵ型であってもよい。いずれにしても、コイル部品１を前後方向から見たときに、コア２によって矩形の閉磁路が形成されていればよい。
【００３２】
実施例に係るコイル部品１は、一次コイル３１と二次コイル３２とを備えるトランスであったが、基板３０の表面に一つのコイルのみが形成されているインダクターなどであってもよい。もちろん、多層配線基板を用いるなどして、複数の二次コイル３２を備えたトランスであってもよい。また、実施例に係るコイル部品１は、一つの回路基板に複数の電子部品が実装されてなる電子機器（ＤＣ−ＤＣコンバーターなど）に一体的に組み込まれる一つの電子部品であってもよい。例えば、回路基板の一部の領域に導体パターンによるコイルが形成されているとともに、そのコイルの形成領域に二つのコア部材が回路基板を表裏方向から狭持するように取り付けられていてもよい。
【符号の説明】
【００３３】
１，１０１，２０１  コイル部品、２  コア、２１  コアの底板部、
２２  コアの外脚、２３，２３ａ，２３ｂ  仮想的な中脚、３  コイル、
３１  導体パターン（一次コイル）、３２  導体パターン（二次コイル）、
１００  コイルの巻軸
【図１】
2020047645.tif 000005
【図２】
2020047645.tif 000006
【図３】
2020047645.tif 000007
【図４】
2020047645.tif 000008
【図５】
2020047645.tif 000009